(57)【要約】【課題】組み立て作業性を向上させることができる電子機器を提供する。【解決手段】凹部４４を有するリアキャビネット１０と、リアキャビネット１０に取り付けられる第１のホルダ１６と、第１のホルダ１６に設けられ、且つ、リアキャビネット１０に向けて突出する突部４２と、を備え、第１のホルダ１６には、外部から凹部４４の位置を確認可能な一対の覗き孔４６ａ，４６ｂが設けられ、第１のホルダ１６は、突部４２が凹部４４に挿入されることにより、リアキャビネット１０に対して位置決めされる。【選択図】図８Ａ
2014204366.tif 000002
【特許請求の範囲】
【請求項１】
凹部を有する第１の部材と、
前記第１の部材に取り付けられる第２の部材と、
前記第２の部材に設けられ、且つ、前記第１の部材に向けて突出する突部と、を備え、
前記第２の部材には、外部から前記凹部の位置を確認可能な孔が設けられ、
前記第２の部材は、前記突部が前記凹部に挿入されることにより、前記第１の部材に対して位置決めされる
電子機器。
【請求項２】
前記第１の部材は板金で形成され、
前記第２の部材は樹脂で形成されている
請求項１に記載の電子機器。
【請求項３】
前記孔は、前記突部の周囲に設けられている
請求項１又は２に記載の電子機器。
【請求項４】
前記孔は一対設けられ、
前記一対の孔は、前記突部を挟んで対角状に配置されている
請求項３に記載の電子機器。
【請求項５】
前記孔は、前記突部の内部を当該突部の軸方向に貫通するようにして設けられている
請求項１又は２に記載の電子機器。
【請求項６】
前記電子機器は、画像を表示するための表示パネルを備える表示装置である
請求項１〜５のいずれか１項に記載の電子機器。
【請求項７】
前記表示装置は、さらに、音声を出力するためのスピーカを備え、
前記第１の部材は、前記表示パネルの背面側に配置されるリアキャビネットであり、
前記第２の部材は、前記リアキャビネットに取り付けられ、且つ、前記スピーカを保持するためのホルダである
請求項６に記載の電子機器。
【発明の詳細な説明】
【技術分野】
【０００１】
本発明は、例えば表示装置等の電子機器に関する。
【背景技術】
【０００２】
例えば液晶テレビジョン受像機等のように、表示パネルの背面に向けて光を照射するバックライトユニットを備えた表示装置が知られている（例えば、特許文献１参照）。この表示装置は、例えば、表示パネルの背面側に配置されたリアキャビネットと、リアキャビネットに取り付けられたホルダと、を備えている。リアキャビネットは板金で形成されており、ホルダは樹脂で形成されている。なお、ホルダは、例えば配線基板等を保持するためのものである。
【０００３】
上述した表示装置には、ホルダをリアキャビネットに対して位置決めするための位置決め構造が設けられている。この位置決め構造には、例えば次のような２つのタイプが存在する。
【０００４】
第１のタイプの位置決め構造では、リアキャビネットには貫通孔が設けられている。さらに、ホルダの裏面には、リアキャビネットに向けて延びるリブが設けられている。表示装置の組み立て工程において、ホルダのリブをリアキャビネットの貫通孔に挿入することにより、ホルダがリアキャビネットに対して位置決めされる。
【０００５】
さらに、第２のタイプの位置決め構造では、ホルダには貫通孔が設けられている。さらに、リアキャビネットには、ハーフパンチ加工によってホルダに向けて延びるボスが設けられている。表示装置の組み立て工程において、リアキャビネットのボスをホルダの貫通孔に挿入することにより、ホルダがリアキャビネットに対して位置決めされる。
【先行技術文献】
【特許文献】
【０００６】
【特許文献１】特開２００９−１１８１２１号公報
【発明の概要】
【発明が解決しようとする課題】
【０００７】
しかしながら、上述した従来の表示装置では、次のような課題が生じる。上述した第１のタイプの位置決め構造では、ホルダをリアキャビネットに取り付ける作業を行う際には、リアキャビネットの貫通孔は、ホルダによって完全に覆われる。そのため、貫通孔の位置を外部から確認することができず、リブを貫通孔に容易に挿入することができない。その結果、表示装置の組み立て作業性が著しく低下するという課題が生じる。
【０００８】
さらに、上述した第２のタイプの位置決め構造では、ハーフパンチ加工によるボスの加工高さに制限があるため、ボスの高さを貫通孔の深さよりも大きくすることが難しい。そのため、ボスを貫通孔に挿入した際に、ボスが貫通孔から外れやすくなる。その結果、上述した第１のタイプの位置決め構造と同様に、表示装置の組み立て作業性が著しく低下するという課題が生じる。
【０００９】
本発明は、上述した課題を解決しようとするものであり、その目的は、組み立て作業性を向上させることができる電子機器を提供することである。
【課題を解決するための手段】
【００１０】
上記目的を達成するために、本発明の一態様に係る電子機器は、凹部を有する第１の部材と、前記第１の部材に取り付けられる第２の部材と、前記第２の部材に設けられ、且つ、前記第１の部材に向けて突出する突部と、を備え、前記第２の部材には、外部から前記凹部の位置を確認可能な孔が設けられ、前記第２の部材は、前記突部が前記凹部に挿入されることにより、前記第１の部材に対して位置決めされる。
【００１１】
本態様によれば、第２の部材には孔が設けられているので、第２の部材を第１の部材に取り付ける作業を行う際に、孔を通して凹部を覗くことにより、凹部の位置を外部から確認することができる。これにより、突部を凹部に容易に挿入することができる。さらに、突部の高さを凹部の深さよりも大きくすることにより、突部が凹部から外れにくくなる。その結果、電子機器の組み立て作業性を向上させることができる。
【００１２】
例えば、本発明の一態様に係る電子機器において、前記第１の部材は板金で形成され、前記第２の部材は樹脂で形成されているように構成してもよい。
【００１３】
本態様によれば、第１の部材は板金で形成されているので、凹部を例えばパンチング加工により形成することができる。また、第２の部材は樹脂で形成されているので、突部及び孔を例えば樹脂の射出成形により形成することができる。
【００１４】
例えば、本発明の一態様に係る電子機器において、前記孔は、前記突部の周囲に設けられているように構成してもよい。
【００１５】
本態様によれば、孔は突部の周囲に設けられているので、孔を通して凹部の位置を容易に確認することができる。
【００１６】
例えば、本発明の一態様に係る電子機器において、前記孔は一対設けられ、前記一対の孔は、前記突部を挟んで対角状に配置されているように構成してもよい。
【００１７】
本態様によれば、一対の孔は、突部を挟んで対角状に配置されているので、突部の強度を確保することができる。
【００１８】
例えば、本発明の一態様に係る電子機器において、前記孔は、前記突部の内部を当該突部の軸方向に貫通するようにして設けられているように構成してもよい。
【００１９】
本態様によれば、孔は、突部の内部をその軸方向に貫通するようにして設けられているので、孔を通して凹部の位置を容易に確認することができる。
【００２０】
例えば、本発明の一態様に係る電子機器において、前記電子機器は、画像を表示するための表示パネルを備える表示装置であるように構成してもよい。
【００２１】
本態様によれば、電子機器を表示装置として適用することができる。
【００２２】
例えば、本発明の一態様に係る電子機器において、前記表示装置は、さらに、音声を出力するためのスピーカを備え、前記第１の部材は、前記表示パネルの背面側に配置されるリアキャビネットであり、前記第２の部材は、前記リアキャビネットに取り付けられ、且つ、前記スピーカを保持するためのホルダであるように構成してもよい。
【００２３】
本態様によれば、第１の部材をリアキャビネットで構成し、第２の部材をホルダで構成することができる。
【発明の効果】
【００２４】
本発明の一態様に係る電子機器によれば、電子機器の組み立て作業性を向上させることができる。
【図面の簡単な説明】
【００２５】
【図１】実施の形態１に係る表示装置の正面側を示す斜視図である。
【図２】実施の形態１に係る表示装置の背面側を示す斜視図である。
【図３】リアカバーをリアキャビネットから取り外した状態での、実施の形態１に係る表示装置の背面側を示す図である。
【図４】図３の第１のホルダを拡大して示す図である。
【図５】図３の第１のホルダを拡大して示す斜視図である。
【図６】第１のホルダをリアキャビネットに取り付ける前の状態を示す分解斜視図である。
【図７】第１のホルダの裏面側を示す斜視図である。
【図８Ａ】図７の突部及び一対の覗き孔を拡大して示す斜視図である。
【図８Ｂ】第１のホルダの突部をリアキャビネットの凹部に挿入する前の状態を示す斜視図である。
【図９】実施の形態２に係る表示装置の突部及び覗き孔を拡大して示す斜視図である。
【図１０】実施の形態３に係る表示装置の突部及び一対の覗き孔を拡大して示す斜視図である。
【図１１】実施の形態４に係る表示装置の突部及び覗き孔を拡大して示す斜視図である。
【図１２】図１１中のＡ−Ａ線により切断した突部の断面図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［表示装置の構成］
まず、図１〜図３を参照しながら、実施の形態１に係る表示装置の構成について説明する。図１は、実施の形態１に係る表示装置の正面側を示す斜視図である。図２は、実施の形態１に係る表示装置の背面側を示す斜視図である。図３は、リアカバーをリアキャビネットから取り外した状態での、実施の形態１に係る表示装置の背面側を示す図である。
【００２８】
図１に示すように、表示装置２（電子機器を構成する）は、筐体４と、筐体４の内部に設けられた液晶パネル６（表示パネルを構成する）及びバックライトユニット（図示せず）と、を備えている。本実施の形態の表示装置２は、例えば、直下型のバックライトユニットを備えた液晶テレビジョン受像機である。
【００２９】
図１及び図２に示すように、筐体４は、フロントキャビネット８及びリアキャビネット１０（第１の部材を構成する）が相互に組み合わされることにより構成されている。
【００３０】
フロントキャビネット８は、液晶パネル６の正面側に配置されている。フロントキャビネット８は額縁状に構成され、液晶パネル６の外周部を覆っている。なお、フロントキャビネット８は、例えば樹脂で形成されている。
【００３１】
リアキャビネット１０は、液晶パネル６の背面側に配置されている。リアキャビネット１０は、液晶パネル６とは反対側にやや膨らんだ形状を有しており、液晶パネル６の背面全体を覆っている。液晶パネル６とリアキャビネット１０との間には、バックライトユニットが配置されている。なお、リアキャビネット１０は、例えば板金で形成されている。
【００３２】
リアキャビネット１０の外面には、リアカバー１２が取り付けられている。このリアカバー１２は、リアキャビネット１０の外面に取り付けられた電源基板（図示せず）を覆っている。リアカバー１２は、さらに、第１のホルダ１６及び第２のホルダ１８（後述する）にそれぞれ保持されたスピーカ２０（後述する）を覆っている。リアカバー１２の下端部には、筐体４を下方より支持するためのスタンド１４が取り付けられている。なお、リアカバー１２及びスタンド１４はそれぞれ、例えば樹脂で形成されている。
【００３３】
図３に示すように、リアキャビネット１０の下端部には、第１のホルダ１６及び第２のホルダ１８（第１のホルダ１６及び第２のホルダ１８の各々は、第２の部材を構成し且つホルダを構成する）が間隔を置いて取り付けられている。第１のホルダ１６及び第２のホルダ１８はそれぞれ、音声を出力するためのスピーカ２０を保持するとともに、リアキャビネット１０の下端部に取り付けられた制御基板等（図示せず）をカバーするためのものである。第１のホルダ１６は、リアキャビネット１０の長手方向の一端部側に配置され、第２のホルダ１８は、リアキャビネット１０の長手方向の他端部側に配置されている。なお、第１のホルダ１６及び第２のホルダ１８はそれぞれ、例えば樹脂で形成されている。
【００３４】
なお、第２のホルダ１８の裏面には、表示装置２を操作するための複数のスイッチ２２（例えば、ボリュームスイッチ等）が実装された配線基板（図示せず）が取り付けられている。これら複数のスイッチ２２の各々は、第２のホルダ１８に設けられた複数の開口部２４の各々を通して外部に露出されている。
【００３５】
第１のホルダ１６及び第２のホルダ１８はそれぞれ、左右略対称の形状を有している。そのため、以下では、第１のホルダ１６の構成についてのみ説明する。
【００３６】
［第１のホルダの構成］
次に、図４〜図７を参照しながら、第１のホルダ１６の構成について説明する。図４は、図３の第１のホルダを拡大して示す図である。図５は、図３の第１のホルダを拡大して示す斜視図である。図６は、第１のホルダをリアキャビネットに取り付ける前の状態を示す分解斜視図である。図７は、第１のホルダの裏面側を示す斜視図である。
【００３７】
図４〜図７に示すように、第１のホルダ１６は、リアキャビネット１０の下端部に沿って横方向に長い長尺状に構成されている。第１のホルダ１６の断面は、略Ｌ字状に構成されている。
【００３８】
図５に示すように、第１のホルダ１６の長手方向の一端部には、略水平方向に延びる一対のボス２６が間隔を置いて設けられている。一対のボス２６の各々には、ネジ２８を締結するためのネジ孔（図示せず）が設けられている。ネジ２８は、スピーカ２０に設けられた一対の支持孔２９の各々を通して、一対のボス２６の各々のネジ孔に締結されている。これにより、スピーカ２０は、第１のホルダ１６にネジ止めによって取り付けられている。
【００３９】
図６に示すように、第１のホルダ１６の長手方向の他端部には、ネジ３１を挿入するための支持孔３０が設けられている。さらに、図６及び図７に示すように、第１のホルダ１６の短手方向の上端部及び下端部にはそれぞれ、ネジ３１を挿入するための支持孔３２，３４が設けられている。図６に示すように、リアキャビネット１０の下端部には、これら支持孔３０，３２，３４に対応して、ネジ３１を締結するためのネジ孔３６，３８，４０が設けられている。ネジ３１は、支持孔３０，３２，３４の各々を通して、ネジ孔３６，３８，４０の各々に締結されている。これにより、第１のホルダ１６は、リアキャビネット１０の下端部にネジ止めによって取り付けられている。
【００４０】
［位置決め構造］
次に、図８Ａ及び図８Ｂをも参照しながら、第１のホルダ１６をリアキャビネット１０に対して位置決めするための位置決め構造について説明する。図８Ａは、図７の突部及び一対の覗き孔を拡大して示す斜視図である。図８Ｂは、第１のホルダの突部をリアキャビネットの凹部に挿入する前の状態を示す斜視図である。
【００４１】
図７及び図８Ａに示すように、本実施の形態の位置決め構造では、第１のホルダ１６の裏面には、リアキャビネット１０に向けて突出する突部４２が設けられている。この突部４２は、例えば支持孔３２の近傍に配置されている。本実施の形態では、突部４２は、断面が略十字形状のリブで構成されている。
【００４２】
リアキャビネット１０には、突部４２に対応して凹部４４が設けられている。凹部４４は、例えば、リアキャビネット１０をその厚み方向に貫通する貫通孔である。
【００４３】
さらに、本実施の形態の表示装置２の特徴的な構成として、第１のホルダ１６には、外部から凹部４４の位置を確認可能な一対の覗き孔４６ａ，４６ｂ（一対の覗き孔４６ａ，４６ｂの各々は孔を構成する）が設けられている。一対の覗き孔４６ａ，４６ｂの各々は、例えば扇形状に構成され、第１のホルダ１６をその厚み方向に貫通している。一対の覗き孔４６ａ，４６ｂは、突部４２の周囲に配置されている。より具体的には、一対の覗き孔４６ａ，４６ｂは、突部４２を挟んで対角状に配置されている。
【００４４】
表示装置２の組み立て工程において、第１のホルダ１６をリアキャビネット１０の下端部に取り付ける際には、まず、突部４２をリアキャビネット１０の凹部４４に挿入する。これにより、第１のホルダ１６がリアキャビネット１０に対して位置決めされる。このように位置決めされた後に、上述したように、ネジ３１を、支持孔３０，３２，３４の各々を通してネジ孔３６，３８，４０の各々に締結する。
【００４５】
［効果］
次に、本実施の形態の表示装置２により得られる効果について説明する。第１のホルダ１６には一対の覗き孔４６ａ，４６ｂが設けられているので、第１のホルダ１６をリアキャビネット１０の下端部に取り付ける作業を行う際に、図８Ｂに示すように、一対の覗き孔４６ａ，４６ｂを通して凹部４４を覗くことにより、凹部４４の位置を外部から確認することができる。これにより、突部４２を凹部４４に容易に挿入することができる。さらに、突部４２の高さを凹部４４の深さよりも大きくすることにより、突部４２は、凹部４４から外れにくくなる。その結果、表示装置２の組み立て作業性を向上させることができる。
【００４６】
（実施の形態２）
次に、図９を参照しながら、実施の形態２に係る表示装置の構成について説明する。図９は、実施の形態２に係る表示装置の突部及び覗き孔を拡大して示す斜視図である。なお、本実施の形態では、上記実施の形態１と同一の構成要素には同一の符号を付して、その説明を省略する。
【００４７】
図９に示すように、本実施の形態の突部４２Ａは、略円柱状のボスで構成されている。なお、突部４２Ａの先端部は、テーパ状に構成されている。第１のホルダ１６には、略Ｃ字状の覗き孔４６Ａが設けられている。覗き孔４６Ａは、突部４２Ａの周囲に配置されている。このような構成であっても、上記実施の形態１と同様の効果を得ることができる。
【００４８】
（実施の形態３）
次に、図１０を参照しながら、実施の形態３に係る表示装置の構成について説明する。図１０は、実施の形態３に係る表示装置の突部及び一対の覗き孔を拡大して示す斜視図である。
【００４９】
図１０に示すように、本実施の形態の突部４２Ｂは、略四角柱状のボスで構成されている。なお、突部４２Ｂの先端部は、テーパ状に構成されている。第１のホルダ１６には、略Ｌ字状の一対の覗き孔４６Ｂａ，４６Ｂｂが設けられている。一対の覗き孔４６Ｂａ，４６Ｂｂは、突部４２Ｂを挟んで対角状に配置されている。このような構成であっても、上記実施の形態１と同様の効果を得ることができる。
【００５０】
（実施の形態４）
次に、図１１及び図１２を参照しながら、実施の形態４に係る表示装置の構成について説明する。図１１は、実施の形態４に係る表示装置の突部及び覗き孔を拡大して示す斜視図である。図１２は、図１１中のＡ−Ａ線により切断した突部の断面図である。
【００５１】
図１１及び図１２に示すように、本実施の形態の突部４２Ｃは、略四角柱状のボスで構成されている。なお、突部４２Ｃの先端部は、テーパ状に構成されている。覗き孔４６Ｃは、突部４２Ｃの内部をその軸方向に貫通するようにして設けられている。このような構成であっても、上記実施の形態１と同様の効果を得ることができる。
【００５２】
以上、本発明の実施の形態１〜４に係る表示装置について説明したが、本発明は、これらの実施の形態に限定されるものではない。例えば、上記各実施の形態をそれぞれ組み合わせるとしてもよい。
【００５３】
上記各実施の形態では、表示装置が液晶テレビジョン受像機である場合について説明したが、表示装置は、液晶テレビジョン受像機以外に、例えばパーソナルコンピュータ用の液晶モニタ等でもよい。
【００５４】
上記各実施の形態では、電子機器が表示装置である場合について説明したが、これに限定されず、電子機器は、例えば光ディスク装置又はパーソナルコンピュータ等でもよい。
【００５５】
上記各実施の形態では、第１の部材としてのリアキャビネットを板金で形成したが、リアキャビネットを例えば樹脂で形成することもできる。
【００５６】
上記各実施の形態では、第１の部材をリアキャビネットで構成し、第２の部材をホルダで構成したが、これに限定されず、第１の部材及び第２の部材をそれぞれ電子機器の様々な部品で構成することができる。例えば、第１の部材をリアキャビネットで構成し、第２の部材を上記実施の形態１で説明したリアカバーで構成することができる。
【００５７】
上記各実施の形態では、凹部を貫通孔で構成したが、これに限定されず、凹部を例えば有底状の孔で構成することもできる。
【００５８】
上記実施の形態１及び３では、孔としての覗き孔を一対設けたが、覗き孔を例えば４個設けることもできる。この場合には、４個の覗き孔は、例えば突部の周囲に等間隔に配置される。
【産業上の利用可能性】
【００５９】
本発明の電子機器は、例えば、画像を表示する表示装置等として適用することができる。
【符号の説明】
【００６０】
２  表示装置
４  筐体
６  液晶パネル
８  フロントキャビネット
１０  リアキャビネット
１２  リアカバー
１４  スタンド
１６  第１のホルダ
１８  第２のホルダ
２０  スピーカ
２２  スイッチ
２４  開口部
２６  ボス
２８，３１  ネジ
２９，３０，３２，３４  支持孔
３６，３８，４０  ネジ孔
４２，４２Ａ，４２Ｂ，４２Ｃ  突部
４４  凹部
４６ａ，４６ｂ，４６Ａ，４６Ｂａ，４６Ｂｂ，４６Ｃ  覗き孔
【図１】
2014204366.tif 000003
【図２】
2014204366.tif 000004
【図３】
2014204366.tif 000005
【図４】
2014204366.tif 000006
【図５】
2014204366.tif 000007
【図６】
2014204366.tif 000008
【図７】
2014204366.tif 000009
【図８Ａ】
2014204366.tif 000010
【図８Ｂ】
2014204366.tif 000011
【図９】
2014204366.tif 000012
【図１０】
2014204366.tif 000013
【図１１】
2014204366.tif 000014
【図１２】
2014204366.tif 000015